(57)【要約】  セルラーテレコミュニケーションネットワークのための方法は、第１及び第２のアンテナに各々関連した共同サイトセルである第１及び第２のソースセルを選択し、第１セルの第１隣接セル及び第２セルの第２隣接セルを識別し、及び第１隣接セルの位置を第１アンテナの指向方向と比較することで第２セルのアンテナフィードが第１アンテナに給電することを決定する、ことを含む。【選択図】      図４
2018514983.tif 000002
【特許請求の範囲】
【請求項１】
セルラーテレコミュニケーションネットワークのための方法において、
第１及び第２のアンテナに各々関連した共同サイトセルである第１及び第２のソースセルを選択し、
前記第１セルの第１隣接セル及び前記第２セルの第２隣接セルを識別し、及び
前記第１隣接セルの位置を前記第１アンテナの指向方向と比較することで前記第２セルのアンテナフィードが前記第１アンテナに給電することを決定する、
ことを含む方法。
【請求項２】
前記第２アンテナのアンテナフィードを前記第１アンテナから切断し、及び
前記第２アンテナのアンテナフィードを前記第２アンテナに接続する、
ことを更に含む、請求項１に記載の方法。
【請求項３】
前記指向方向は、ネットワークにより記憶された第１アンテナの方位値に基づくゾーンを画成し、そして前記第１隣接セルの位置を前記第１アンテナの指向方向と比較することは、そのゾーン内にある前記第１隣接セルの一部分を決定することを含む、請求項１に記載の方法。
【請求項４】
前記ゾーンは、前記第１アンテナの方位値からの所定角度により境界定めされる、請求項３に記載の方法。
【請求項５】
前記第１隣接セルの位置を前記第１アンテナの指向方向と比較することは、前記第１セルの隣接セルリストの隣接セルの所定部分が前記第１アンテナの後方であるかどうか決定することを含む、請求項１に記載の方法。
【請求項６】
前記第１隣接セルの位置に基づいて前記第１セルの第１交差アンテナフィードスコアを計算することを更に含み、
前記第１交差アンテナフィードスコアを使用して、前記第２セルのアンテナフィードが第１アンテナに給電することを決定する、請求項１に記載の方法。
【請求項７】
前記第１セルの第１交差アンテナフィードスコアを計算することは、前記第１セルから前記第１隣接セルへのハンドオーバーに対するハンドオーバーデータを決定することを含む、請求項６に記載の方法。
【請求項８】
前記第１隣接セルは、前記第１セルの隣接セルリスト（ＮＣＬ）におけるセルであり、そして前記第１交差アンテナフィードスコアは、前記第１セルと各第１隣接セルとの間の関係を分析することにより計算される、請求項６に記載の方法。
【請求項９】
前記第２セルと各第１隣接セルとの間の関係を分析することにより第２セルの第２交差アンテナフィードスコアを計算することを更に含む、請求項６に記載の方法。
【請求項１０】
前記第１交差アンテナフィードスコアを前記第２交差アンテナフィードスコアと比較して、前記第２セルのアンテナフィードが前記第１アンテナに給電すると決定することを含む、請求項９に記載の方法。
【請求項１１】
前記第２セルのアンテナフィードが前記第１アンテナに給電すると決定することは、前記第１セルからハンドオーバーを受け取る第１隣接セルの大半が前記第１アンテナの指向方向内にないと決定することを含む、請求項１に記載の方法。
【請求項１２】
ワイヤレステレコミュニケーションネットワークのネットワークリソースコントローラにおいて、
メモリ、
プロセッサ、及び
実行可能なインストラクションが記憶されたコンピュータ読み取り可能な媒体、
を備え、前記インストラクションは、前記プロセッサにより実行されたときに、
第１及び第２のアンテナに各々関連した共同サイトセルである第１及び第２のソースセルを選択し、
前記第１セルの第１隣接セル及び前記第２セルの第２隣接セルを識別し、及び
前記第１隣接セルの位置を前記第１アンテナの指向方向と比較することで前記第２セルのアンテナフィードが前記第１アンテナに給電することを決定する、
という動作を遂行するものである、ネットワークリソースコントローラ。
【請求項１３】
前記指向方向は、ネットワークにより記憶された第１アンテナの方位値に基づくゾーンを画成し、そして前記第１隣接セルの位置を前記第１アンテナの指向方向と比較することは、そのゾーン内にある前記第１隣接セルの一部分を決定することを含む、請求項１１に記載のネットワークリソースコントローラ。
【請求項１４】
前記ゾーンは、前記第１アンテナの方位値からの所定角度により境界定めされる、請求項１１に記載のネットワークリソースコントローラ。
【請求項１５】
前記第１隣接セルの位置を前記第１アンテナの指向方向と比較することは、前記第１セルの隣接セルリストの隣接セルの所定部分が前記第１アンテナの後方であるかどうか決定することを含む、請求項１１に記載のネットワークリソースコントローラ。
【請求項１６】
前記動作は、更に、前記第１隣接セルの位置に基づいて前記第１セルの第１交差アンテナフィードスコアを計算することを含み、
前記第１交差アンテナフィードスコアを使用して、前記第２セルのアンテナフィードが第１アンテナに給電することを決定する、請求項１１に記載のネットワークリソースコントローラ。
【請求項１７】
前記第１セルの第１交差アンテナフィードスコアを計算することは、前記第１セルから前記第１隣接セルへのハンドオーバーに対するハンドオーバーデータを決定することを含む、請求項１１に記載のネットワークリソースコントローラ。
【請求項１８】
前記第１隣接セルは、前記第１セルの隣接セルリスト（ＮＣＬ）におけるセルであり、そして前記第１交差アンテナフィードスコアは、前記第１セルと各第１隣接セルとの間の関係を分析することにより計算される、請求項１１に記載のネットワークリソースコントローラ。
【請求項１９】
前記動作は、更に、前記第２セルと各第１隣接セルとの間の関係を分析することにより第２セルの第２交差アンテナフィードスコアを計算することを含む、請求項１１に記載のネットワークリソースコントローラ。
【請求項２０】
前記動作は、更に、前記第１交差アンテナフィードスコアを前記第２交差アンテナフィードスコアと比較して、前記第２セルのアンテナフィードが前記第１アンテナに給電すると決定することを含む、請求項１１に記載のネットワークリソースコントローラ。
【請求項２１】
前記第２セルのアンテナフィードが前記第１アンテナに給電すると決定することは、前記第１セルからハンドオーバーを受け取る第１隣接セルの大半が前記第１アンテナの指向方向内にないと決定することを含む、請求項１９に記載のネットワークリソースコントローラ。
【発明の詳細な説明】
【背景技術】
【０００１】
〔関連出願の相互参照〕
本開示は、参考としてここに援用される２０１５年３月２３日に出願された米国プロビジョナル特許出願第６２／１３７，１０１号の優先権を主張するものである。
【０００２】
ワイヤレステレコミュニケーションネットワークは、常に進化している。ワイヤレステレコミュニケーション技術が発展するにつれて、増え続ける量のデータを使用する増え続ける数のユーザにサービスを提供するため新たなベースステーションが設置されている。更に、既存のベースステーションは、既存サイトの保守及びアップグレードを行うためにサービスを受ける。
【０００３】
ベースステーションの設置及び保守は、訓練を受けた熟練した者によって遂行される。しかしながら、セルラー装置は、非常に複雑であり、典型的に、容易に設置できるように設計されていない。ベースステーション装置を設置及び保守するときにはエラーが生じ、性能を損なう。
【０００４】
ある程度の技術的エラーは、検出及び解消が容易であるが、他のエラーは、検出が困難である。ネットワークに生じる１つのエラーは、セルサイトにおける交差(crossed)又は誤ったアンテナフィードである。
【０００５】
セルラーネットワークにおいて、各セルサイトは、異なる周波数及び技術に属する多数のセルを収容する。特定の周波数及び技術についても、サイトは、多数のセルをもつことができる。これらは、異なるセクターに対応し、そして異なる方向に向けられたアンテナを使用してそれらの異なる方向に沿ってカバレージを与えることが意図される。
【０００６】
各セルサイトは、１つ以上のアンテナを有する。アンテナは、異なる方向を指す。又、これらのアンテナは、送信及び／又は受信の目的でも使用される。
【０００７】
各セルは１つ以上のアンテナフィーダーを有する。セルからのアンテナフィーダーは、セルサイトにおいて正しいアンテナに接続するために必要とされる。正しいアンテナという語は、セルに意図された方向を向き及び／又は送信又は受信を行うアンテナフィーダーの意図された目的を果たすアンテナを指す。アンテナ当たり（異なる周波数又は技術に属する）多数のセルがあることで設置が更に複雑なものとなる。多数のセルからのフィーダーは結合されて１つの物理的なケーブルとなり、ＲＦ合成器を使用してアンテナに給電を行う。
【０００８】
セクター間又はセクターにおける送信アンテナと受信アンテナとの間を含む多数の経路に交差フィーダーが生じ得る。又、ＲＦ合成器の前後を含む多数の設定位置にも交差フィーダーが生じ得る。
【０００９】
交差アンテナフィードが存在するときには、ターゲットアンテナのためのインストラクションが交差アンテナへ誤って配送される。その結果、それらサイトにおけるセルの実際の構成パラメータ（例えば、アンテナ指向方向及びアンテナ高度）の幾つかがセルの計画構成とは異なることになる。これは、正確なセル構成情報に依存する容量及びカバレージ最適化、セル停電補償、等のネットワーク性能管理動作の予期せぬ振舞いを招く。
【００１０】
ほとんどのシナリオでは、ネットワーク性能に対する交差アンテナを明らかにする場合に、問題の根本的原因が交差アンテナフィーダーであると直接的に推測することは容易でない。例えば、セルサイトにおける交差アンテナ問題の結果、スクランブルコードの曖昧性除去が不充分となる。しかしながら、この問題を特定のサイトにおける交差アンテナフィーダーへとマップすることは容易ではない。更に、新たなベースステーションの場合には、制御データがなく、従って、潜在的な交差アンテナフィードを、性能に影響する他の変数と区別することが困難になる。
【発明の概要】
【発明が解決しようとする課題】
【００１１】
ネットワーク運営者は、交差アンテナフィードに関連した潜在的な問題を知っている。従来、アンテナ構成データを実際の測定データと比較するためにドライブテストが行われる。ドライブテストにおいて、技術者は、特定の地理的エリアへドライブしてセルの特性を測定する。しかしながら、ドライブテストは、費用がかかり、時間浪費で、且つエラーの傾向がある。ネットワークは、交差アンテナフィードを確実に検出するシステム及び方法、並びに交差アンテナフィード検出の少なくともある部分を自動化するシステム及び方法から利益が得られる。
【課題を解決するための手段】
【００１２】
本開示の実施形態は、交差アンテナフィードの存在を検出することに向けられる。特に、少なくとも方向情報及びハンドオーバー情報を使用して、交差アンテナフィードを識別する。
【００１３】
一実施形態において、セルラーテレコミュニケーションネットワークのための方法は、第１及び第２のアンテナに各々関連した共同サイト(co-sited)セルである第１及び第２のソースセルを選択し、第１セルの第１隣接セル及び第２セルの第２隣接セルを識別し、及び第１隣接セルの位置を第１アンテナの指向方向と比較することで第２セルのアンテナフィードが第１アンテナに給電することを決定する、ことを含む。この方法は、更に、第２アンテナのアンテナフィードを第１アンテナから切断し、及び第２アンテナのアンテナフィードを第２アンテナに接続する、ことを含む。
【００１４】
一実施形態において、第１アンテナの指向方向は、ネットワークにより記憶された第１アンテナの方位値により画成されるゾーンであり、そして第１隣接セルの位置を第１アンテナの指向方向と比較することは、そのゾーン内にある第１隣接セルの一部分を決定することを含む。そのゾーンは、第１アンテナの方位値からの所定角度によって境界定めされる。
【００１５】
一実施形態において、第１隣接セルの位置を第１アンテナの指向方向と比較することは、第１セルの隣接セルリストの隣接セルの所定部分が第１アンテナの後方であるかどうか決定することを含む。
【００１６】
前記方法は、更に、第１隣接セルの位置に基づいて第１セルの第１交差アンテナフィードスコアを計算することを含み、その第１交差アンテナフィードスコアを使用して、第２セルのアンテナフィードが第１アンテナに給電することを決定する。第１セルの第１交差アンテナフィードスコアを計算することは、第１セルから第１隣接セルへのハンドオーバーに対するハンドオーバーデータを決定することを含む。第１隣接セルは、第１セルの隣接セルリスト（ＮＣＬ）におけるセルであり、そして第１交差アンテナフィードスコアは、第１セルと各第１隣接セルとの間の関係を分析することにより計算される。
【００１７】
一実施形態において、この方法は、第２セルと各第１隣接セルとの間の関係を分析することにより第２セルの第２交差アンテナフィードスコアを計算することを含む。この方法は、更に、第１交差アンテナフィードスコアを第２交差アンテナフィードスコアと比較して、第２セルのアンテナフィードが第１アンテナに給電すると決定することを含む。
【００１８】
一実施形態において、前記第２セルのアンテナフィードが第１アンテナに給電すると決定することは、第１セルからハンドオーバーを受け取る第１隣接セルの大半が第１アンテナの指向方向内にないと決定することを含む。
【図面の簡単な説明】
【００１９】
【図１】一実施形態によるワイヤレス通信システムを示す。
【図２】一実施形態によるネットワークリソースコントローラを示す。
【図３】交差アンテナフィードの候補を識別するためのプロセスの実施形態を示す。
【図４】地理的領域におけるソースセル及び隣接セルを示す。
【図５】ソースセルが隣接部のセットを指すかどうか決定するためのプロセスの実施形態を示す。
【図６】アンテナ指向方向を示す。
【図７】交差アンテナフィードの存在を検出するのに有用なソース及び隣接部の関係を示す。
【図８】交差アンテナフィードの存在を検出するためのプロセスの実施形態を示す。
【発明を実施するための形態】
【００２０】
本書は、アンテナフィーダーが潜在的に誤って指定されることのあるサイト及び関連セルを識別できるシステム及び方法を提示する。本開示は、誤ったアンテナフィード指定を示すために「交差(crossed)」という語を使用する。ここで使用する「交差」という語は、誤ったアンテナに給電するアンテナフィードを指す。これは、２つのフィードが逆転され、例えば、第１アンテナのための第１アンテナフィードが第２アンテナに取り付けられる一方、第２アンテナのためのアンテナフィードが第１アンテナに取り付けられた状態に適用される。又、「交差」という語は、１つのベースステーションの３つ以上のアンテナフィードが誤って指定された状態も指す。これらのシナリオを述べるために「スワップ」という語も使用される。
【００２１】
本開示の実施形態は、ＧＳＭ（登録商標）（２Ｇ）、ＵＭＴＳ（３Ｇ）、ＬＴＥ（４Ｇ）、（ＬＴＥアドバンスト、ＣＤＭＡ、ＷｉＭＡＸ、等を含む多数のセルラー技術に適用されるが、これに限定されない。更に、本開示の実施形態は、エリクソン、ノキア、ファーウェイ、等の異なるネットワーク売主からのシステム及び装置に適用することができる。
【００２２】
本開示の実施形態は、位置、アンテナ方位値、隣接リストのような構成管理情報、隣接リストにおけるセルの位置及び方位情報、並びに選択されたセルのハンドオーバー統計値のようなネットワーク運営データを検索する。
【００２３】
一実施形態の第１段階において、セルの最も使用される隣接部がハンドオーバー統計値に基づき識別される。セルの最も使用される隣接部の大半は、一般的に、セルのアンテナ指向方向に（又はその計画されたカバレージエリアの方向を向いて）位置することが予想される。これらの基準を満足しないセルのリストが生成される。それらのセルは、交差アンテナケーブルを有してもよいし又は有していなくてもよい。第１段階における疑わしいセル識別基準及びそれにより生じる疑わしいセルの数を調整するために構成パラメータを使用することができる。
【００２４】
一実施形態の第２段階において、疑わしいセルが位置するサイトが交差アンテナケーブルの追加の証拠について検査される。サイトに疑わしいセル技術レイヤが１つしかない場合には、そのサイトは、交差アンテナフィーダーをもたないと決定される。技術的レイヤとして２つ以上の疑わしいセルをもつサイトは、更に詳細に検査される。種々の実施形態では、周波数間交差セル又は周波数内交差セルが識別される。
【００２５】
サイトにおける疑わしいセルの交差アンテナスコアを計算するために、位置情報、アンテナ指向方向、及びハンドオーバー統計値が使用される。交差アンテナスコアは、疑わしいセルの指向方向にバーチャルに交差した後に再計算される。交差後のスコアの改善は、サイトにおける潜在的交差アンテナ問題の証拠である。潜在的な交差アンテナサイトは、判断の信頼性レベルと共に、記録されて運営者へ報告される。
【００２６】
本開示の実施形態では、潜在的な交差アンテナフィーダー問題を有するサイトが識別される。それらのサイトにおいてアンテナが交差しているセルも識別される。交差アンテナ状態の識別は、常に厳密なものでないから、アルゴリズムは、交差アンテナフィーダーシナリオの決定の信頼性レベルを示すスコアを更に与える。
【００２７】
以下、添付図面を参照して、実施形態を詳細に説明する。本開示の範囲は、請求の範囲のみにより限定され、そして多数の代替、変更及び等効物を包含する。種々のプロセスのステップは、特定の順序で提示されるが、実施形態は、必ずしも、示された順序で遂行されることに限定されない。幾つかの実施形態において、ある動作は、同時に遂行されてもよいし、ここに示す以外の順序で遂行されてもよいし、又は全く遂行されなくてもよい。
【００２８】
以下の説明において完全な理解を与えるため多数の特定の細部について述べる。これらの細部は、例示のために与えられるもので、実施形態は、これら特定の細部の幾つか又は全部を伴わずに請求の範囲に基づいて具現化されてもよい。又、明瞭化のため、本開示に関連した技術分野で知られている技術的資料は、本開示を不必要に不明瞭にしないために詳細に示されていない。
【００２９】
図１は、本開示の実施形態によるネットワーク通信システム１００を示す。このシステム１００は、１つ以上のベースステーション１０２を備え、その各々には、１つ以上のアンテナ１０４が装備される。各アンテナ１０４は、１つ以上のセル１０６内のユーザ装置１０８に対してワイヤレス通信を与える。ここで使用する「ベースステーション」という語は、ある位置に設けられてワイヤレスネットワークのハブとして働くワイヤレス通信ステーションを指す。例えば、ＬＴＥでは、ベースステーションは、ｅＮｏｄｅＢである。ベースステーションは、マクロセル、マイクロセル、ピコセル又はフェムトセルのためのサービスを提供する。本開示において、「セルサイト」という語は、ベースステーションの位置を示すために使用される。
【００３０】
１つ以上のＵＥ１０８は、セルラーホン装置、ラップトップコンピュータ、ハンドヘルドゲーム機、電子ブック装置及びタブレットＰＣを含むと共に、ベースステーション１０２によりワイヤレス通信サービスが提供される他の形式の普通のポータブルワイヤレスコンピューティング装置を含む。一実施形態において、いずれのＵＥ１０８も、これに限定されないが、ＧＳＭ、ＵＭＴＳ、３ＧＰＰ、ＬＴＥ、ＬＴＥアドバンスト、ＷｉＭＡＸ、等を含む普通のワイヤレスデータ通信技術を使用するワイヤレス通信能力を有する普通の移動コンピューティング装置（例えば、ラップトップコンピュータ、タブレットコンピュータ、セルラーホン、ハンドヘルドゲーム機、電子ブック装置、パーソナル音楽プレーヤ、ＭｉＦｉTM装置、ビデオレコーダ、等）の組み合せに関連している。
【００３１】
システム１００は、バックホール装置１１０、１１２及び１１４と、１つ以上のベースステーション１０２との間の分散型ネットワーク通信を容易にするバックホール部分１１６を備えている。当業者に明らかなように、ほとんどのデジタル通信ネットワークでは、ネットワークのバックホール部分は、一般的にワイヤラインであるネットワークのバックボーンと、ネットワークの周囲に位置するサブネットワーク又はベースステーションとの間の中間リンク１１８を含む。例えば、１つ以上のベースステーション１０２と通信するセルラーユーザ装置（例えば、ＵＥ１０８）は、ローカルサブネットワークを構成する。いずれかのベースステーション１０２と、世界の残り部分との間のネットワーク接続は、プロバイダーの通信ネットワークのバックホール部分へのリンクで開始される（例えば、ポイントオブプレゼンスを経て）。
【００３２】
一実施形態において、図１のシステム１００のバックホール部分１０２は、次の普通の通信技術のいずれか：光ファイバー、同軸ケーブル、ねじれ対ケーブル、イーサネット（登録商標）ケーブル、及び電源ラインケーブルを、この技術で知られた他のワイヤレス通信技術と共に使用する。本発明の種々の実施形態によれば、種々のデータ通信技術に関連したワイヤレス通信カバレージ（例えば、ベースステーション１０２）は、典型的に、ネットワークの形式及びネットワークの特定領域内に配備されるシステムインフラストラクチャー（例えば、ＧＳＭ、ＵＭＴＳ、ＬＴＥ、ＬＴＥアドバンスト及びＷｉＭＡＸベースネットワークと、各ネットワーク形式で展開される技術との間の相違）に基づいて異なるサービスプロバイダーネットワーク間で変化することを理解されたい。
【００３３】
ネットワークコントローラ装置１１０、１１２及び１１４は、いずれも、ベースステーションから離れて設けられるか又はベースステーションに設けられる専用のネットワークリソースコントローラ（ＮＲＣ）でもよい。又、ネットワークコントローラ装置１１０、１１２及び１１４は、いずれも、とりわけＮＲＣ機能を与える非専用装置でもよい。別の実施形態では、ＮＲＣは、自己編成ネットワーク（ＳＯＮ）サーバーである。一実施形態において、ネットワークコントローラ装置１１０、１１２及び１１４、並びに１つ以上のベースステーション１０２は、本開示の種々の実施形態に関連したプロセスを具現化するために独立して又は協力して機能する。
【００３４】
標準的なＧＳＭネットワークによれば、（ＮＲＣ装置であるか又はＮＲＣ機能を任意に有する他の装置である）ネットワークコントローラ装置１１０、１１２及び１１４は、いずれも、ベースステーションコントローラ（ＢＳＣ）、移動交換センター（ＭＳＣ）、データスケジューラ、又は他の既知の普通のサービスプロバイダー制御装置、例えば、無線リソースマネージャー（ＲＲＭ）に関連している。標準的なＵＭＴＳネットワークによれば、（ＮＲＣ機能を任意に有する）ネットワークコントローラ装置１１０、１１２及び１１４は、いずれも、ＮＲＣ、サービングＧＰＲＳサポートノード（ＳＧＳＮ）、又は他の既知の普通のネットワークコントローラ装置、例えば、ＲＲＭに関連している。標準的なＬＴＥネットワークによれば、（ＮＲＣ機能を任意に有する）ネットワークコントローラ装置１１０、１１２及び１１４は、いずれも、ｅＮｏｄｅＢベースステーション、移動管理エンティティ（ＭＭＥ）、又は他の既知の普通のネットワークコントローラ装置、例えば、ＲＲＭに関連している。
【００３５】
一実施形態において、ネットワークコントローラ装置１１０、１１２及び１１４、ベースステーション１０２、並びにＵＥ１０８は、いずれかも、これに限定されないが、Ｍｉｃｒｏｓｏｆｔ（登録商標）Ｗｉｎｄｏｗｓ（登録商標）、Ｍａｃ  ＯＳ（登録商標）、Ｇｏｏｇｌｅ（登録商標）Ｃｈｒｏｍｅ（登録商標）、Ｌｉｎｕｘ（登録商標）、Ｕｎｉｘ（登録商標）を含む良く知られたオペレーティングシステム、或いはＳｙｍｂｉａｎ（登録商標）、Ｐａｌｍ（登録商標）、Ｗｉｎｄｏｗｓ  Ｍｏｂｉｌｅ（登録商標）、Ｇｏｏｇｌｅ（登録商標）Ａｎｄｒｏｉｄ（登録商標）、Ｍｏｂｉｌｅ  Ｌｉｎｕｘ（登録商標）、等を含む移動オペレーティングシステムを実行するように構成される。ネットワークコントローラ装置１１０、１１２及び１１４、又はベースステーション１０２は、いずれも、多数の普通のサーバー、デスクトップ、ラップトップ、及びパーソナルコンピューティング装置を使用する。
【００３６】
図２は、ネットワークコントローラ装置１１０、１１２及び１１４を代表するＮＲＣ２００のブロック図である。従って、ＮＲＣ２００は、ネットワークマネージメントサーバー（ＮＭＳ）、エレメントマネージメントサーバー（ＥＭＳ）、モビリティマネージメントエンティティ（ＭＭＥ）、パフォーマンスマネージメント（ＰＭ）サーバー、又はＳＯＮサーバーを代表する。ＮＲＣ２００は、ＣＰＵ２０４を含む１つ以上のプロセッサ装置を有する。
【００３７】
ＣＰＵ２０４は、揮発性（ＲＡＭ）及び不揮発性（ＲＯＭ）メモリ２０２、並びにストレージ装置２１２（例えば、ＨＤＤ又はＳＳＤ）に記憶されたコンピュータプログラムを実行する役割を果たす。幾つかの実施形態において、ストレージ装置２１２は、ＡＳＩＣ又はＦＰＧＡのようなロジックハードウェアとしてプログラムインストラクションを記憶する。ストレージ装置２１２は、例えば、方位データ２１４、セルポイント２１６、及び隣接データ２１８を記憶する。
【００３８】
又、ＮＲＣ２００は、アドミニストレータがＮＲＣのソフトウェア及びハードウェアリソースと相互作用しそしてシステム１００の性能及び動作を表示するのを許すユーザインターフェイス２０６も備えている。加えて、ＮＲＣ２００は、ネットワークコンピュータシステム内の他のコンポーネントと通信するためのネットワークインターフェイス２０６、及びＮＲＣ２００のハードウェアリソース間のデータ通信を容易にするシステムバス２１０も備えている。
【００３９】
ネットワークコントローラ装置１１０、１１２及び１１４に加えて、ＮＲＣ２００は、アンテナコントローラ、ＲＦプランニングエンジン、コアネットワーク要素、データベースシステム、等の他の形式のコンピュータ装置を実施するのに使用される。ＮＲＣにより与えられる機能に基づき、そのようなコンピュータのストレージ装置は、ソフトウェアのレポジトリー及びそれに対するデータベースとして働く。
【００４０】
図３は、１つ以上の交差アンテナ候補セルを識別するためのプロセス３００を示す。プロセス３００、並びに本開示の他の観点は、ワイヤレスネットワークの１つ以上のセルについて遂行される。一実施形態において、プロセス３００は、セルラー領域又はマーケットのアンテナ又はセルごとに遂行される。単一のアンテナが、異なる周波数及び技術を使用する多数のセルにサービスし、その一部分がプロセス３００により分析される。
【００４１】
別の実施形態では、プロセス３００は、領域における１つ以上のアンテナセットに対して選択的に遂行される。プロセス３００は、ネットワークリソースコントローラ２００のようなネットワークのバックホール部分に結合されたコンピュータエンティティにより遂行される。分析される特定のアンテナ及びセルは、ソースセル及びソースアンテナと称される。
【００４２】
Ｓ３０２において、ネットワークデータが検索される。ネットワークデータは、ベースステーション、ＭＭＥ又はＰＭサーバーのような１つ以上のネットワークエンティティから検索される。次のデータは、Ｓ３０２で検索されるデータの非排他的リストである。即ち、セルの緯度及び経度座標のような位置情報、セルラー識別子、アンテナ方位角、セルの周波数及び技術的レイヤ、各セルの周波数内隣接セルリスト、ベースステーション識別子及び各ベースステーションによりサービスされるセルの識別子、所与の時間内のハンドオーバー成功、ハンドオーバー試み及び失敗の数のようなハンドオーバーメトリックを含むハンドオーバーデータ、ユーザインターフェイスパラメータ、構成パラメータ、等。
【００４３】
図４は、各々３つのセルにサービスする複数のベースステーションを備えたネットワークセクタの一実施形態を示す。図４において、ベースステーション４０８は、同じ周波数レンジで３つの異なるセル４０２、４０４及び４０６にサービスする。図４は、ベースステーションを表わす１つの円の周りの３つの異なる六角形としてセルを示す。しかしながら、図４の六角形は、セルのカバレージエリアを正確に表わすものではなく、むしろ、セルにサービスするアンテナの一般的な指向方向を示すために設けられている。
【００４４】
図４において、“Ａ”と示された周囲の周波数内隣接セルは、セル４０２の移動隣接部である可能性が高いが、“Ｂ”と示されたセルは、セル４０４の移動隣接部である可能性が高い。換言すれば、セル４０２からのハンドオーバーの大半は、“Ａ”セルへと生じることが予想されるが、セル４０４からのハンドオーバーの大半は、“Ｂ”と示されたセルへと生じることが予想される。そのようにハンドオーバーが生じるおそれは、ソースベースステーション４０８からの距離と共に減少する。
【００４５】
セルの指向方向とは逆の方向にあるセルへの及びセルからのハンドオーバーターゲットは、あり得る交差アンテナフィードを示すものである。更に、２つの周波数内共同サイトセルに対するハンドオーバーターゲットの大半がセルの指向方向とは反対側であるときには、交差アンテナフィードがベースステーションにおそらく存在する。それ故、プロセス３００の要素は、セルの隣接リスト、ハンドオーバーデータ、及び指向方向を分析して、交差アンテナフィード候補を識別する。
【００４６】
ソースセルが有する隣接セルが少数の場合には、隣接セルがソースアンテナの指向方向にあるかどうかを高い信頼性で確実に決定するに充分なデータポイントがない。候補ソースセルを検出する信頼性は、ソースセルに対して分析される隣接セルの数に比例する。
【００４７】
それ故、一実施形態において、プロセス３００、特に、Ｓ３０４は、ソースセルの隣接セルリストにおけるセルの数を所定値と比較し、そして隣接セルの数が所定値未満である場合に、セルが交差アンテナフィード検出の候補でないと決定することを含む。使用するスレッシュホールド値が、例えば、５であると、ソースセルは、交差アンテナフィードに対する候補として識別されるためにはその隣接セルリストに少なくとも５つのセルを有していなければならない。
【００４８】
Ｓ３０４において、ソースセルの隣接セルが決定され又は識別される。自動隣接関係（ＡＮＲ）プロセスにより使用されるソースセルの隣接セルリスト（ＮＣＬ）が検索され、そして隣接リストの隣接セルは、Ｓ３０４で決定された隣接部のセットである。一実施形態において、周波数内隣接リストだけが使用される。ソースセルの隣接セルリストにおける各々の隣接セルが、交差アンテナフィードを識別することに関連しているのではない。従って、Ｓ３０４において隣接部のセットを決定するためにソースセルの隣接セルリストが取り除かれてもよい。
【００４９】
例えば、共同サイト隣接セルは、典型的に、ソースセルの隣接リストに現れるが、ソースセルに対するそれらの位置は、交差アンテナフィードが存在するかどうか指示するものではない。更に、共同サイト隣接セルは、典型的に、ソースセルの計画カバレージエリア内になく、従って、それらの存在は、その後の位置分析を希釈化する。それ故、共同サイトセルは、プロセス３００の効果を犠牲にすることなく、Ｓ３０６において、隣接部のセットから安全に除去できる。
【００５０】
識別に対する隣接セルの関連性は、ソースセルと隣接セルの間のアクティビティの度合いに、ある程度、依存している。隣接セルとのハンドオーバーの数が多いことは、隣接セルがソースセルの実際の指向方向を確実に指示していることを示す。
【００５１】
それ故、低アクティビティの隣接部は、Ｓ３０８において、隣接セルのセットから除去されてもよい。低アクティビティの隣接部は、ソースセルとのハンドオーバーアクティビティが所定スレッシュホールド値より低い隣接部である。例えば、一実施形態では、ソースセルから特定の隣接セルへのハンドオーバーの数が前日の１０又は１００回のハンドオーバーのようなハンドオーバーアクティビティの最小レベルと比較され、そしてハンドオーバーの数がスレッシュホールド値より少ない場合には、隣接セルがそのセットから除去される。Ｓ３０８で使用される正確なスレッシュホールド値は、都市の中心部のような高アクティビティのネットワークエリアでは高く、そして田園地帯のような低アクティビティエリアでは低い。
【００５２】
ソースセルに対して隣接部のセットが識別された後に、プロセス３００は、Ｓ３１０において、ソースセルのアンテナが隣接部を指すかどうか決定する。ソースセルが隣接部のセットを指すかどうか決定する実施形態が、図５にプロセス５００として示されている。
【００５３】
図６は、特定のアンテナ方向をもつアンテナによりサービスされるベースステーション６０８のソースセル６０６の一例を示す。一実施形態において、隣接セルは、その隣接セルがソースアンテナの指向方向に直角な平面の前方である場合にはソースアンテナの指向方向内である。これは、図６にゾーン６１０で示されている。
【００５４】
図５に戻ると、Ｓ５０２において、ソースアンテナのアンテナ方向又は方位が決定される。アンテナ方向は、Ｓ３０２において検索されている。
【００５５】
Ｓ５０４において、ソースアンテナとターゲットアンテナとの間の線が確立される。図７は、ソースベースステーションサイト７０８及びターゲットベースステーションサイト７１２と、ソースアンテナをターゲットアンテナに接続する線７１４を示す。ここで、ベースステーションの位置がアンテナの位置として使用される。この位置は、緯度及び経度座標として表わされる。
【００５６】
Ｓ５０６において、ソースアンテナ指向方向と基準方向との間の第１角度７２０（βs）が決定される。図７の例では、基準方向は、北である。しかしながら、他の実施形態では、非カーディナル(non-cardinal)方向である異なる基準方向が使用されてもよい。Ｓ５０８において、基準方向と、ソースとターゲットアンテナとの間の線７１４との間の第２角度７２２（αs）が決定される。
【００５７】
これらの角度間の第１の差７２４は、Ｓ５１０において、一方の角度を他方から引き算することで計算される。更に、第１の差を、３６０°（或いは円又は円周の完全な１回転を円の半径で割り算したものに対応する角度）から引き算して、第２の差を決定する。これらの差を、Ｓ５１２において、所定スレッシュホールド値と比較し、そして第１及び第２の差のいずれかがスレッシュホールド値より大きい場合には、そのターゲットアンテナがソースアンテナの指向方向にあると決定する。
【００５８】
一実施形態において、スレッシュホールド値は、９０°である。スレッシュホールド値が９０°であるとき、指向方向は、図６に示すように、アンテナ指向方向に直角な平面により画成される。他の実施形態では、１００°及び７５°のような他のスレッシュホールド値が使用されてもよい。
【００５９】
一実施形態において、これは、隣接セルの位置に対するソースセルアンテナ指向方向の相対的な配向に基づいて行われる。相対的な配向は、ソースセルの方位と、ソースセルを隣接セル位置に接合する線との間の角度として定義されるメトリック“Ｓｒｃ２Ｎｂｒ”により捕捉される。このメトリックは、次の式１に基づいてプロセス５００により計算される。
2018514983.tif 000003
【００６０】
ここで、αs、０≦αs≦３６０、は、北に対するアンテナの方位（°）であり、そしてβs、０≦βs≦３６０、は、北に対してソースセル７０８を隣接セル７１２に接合する線により作られる角度（°）である。一実施形態において、変数“Ｓｒｃ２Ｎｂｒ”は、隣接セルがソースアンテナの指向方向内にあるかどうか決定するためにスレッシュホールド値と比較される角度を表わす。隣接セルがソースアンテナの指向方向にあるときには、それは、アンテナの方位から±所定度数のゾーン内にある。
【００６１】
Ｓｒｃ２Ｎｂｒメトリックは、所与のソースセルに対する隣接セルのセットの各ターゲットセルについて決定される。換言すれば、プロセス５００は、Ｓ３０４で決定された隣接セルのセットにおける各隣接セルについて遂行される。プロセス３００に戻ると、ソースアンテナの指向方向にあると分かる隣接セルのセットの割合が、次いで、Ｓ３１２において、計算される。
【００６２】
ソースアンテナがその隣接部を指すかどうかの決定は、ソースアンテナの指向方向内にある隣接部の割合を所定値と比較することにより行われる。例えば、隣接部の５０％以上が、プロセス５００により決定されるソースアンテナの指向方向内であるとき、Ｓ３１０は、ソースアンテナがその隣接部を指すと決定する。実施形態は、５０％の値に限定されない。他の実施形態では、４０％及び６０％のような割合が使用される。
【００６３】
ソースアンテナがその隣接部を指すときには、それが交差アンテナフィードの候補であるとは考えられない。他方、隣接セルの割合が所定値より低いことは、隣接セルが主としてソースアンテナの後方にあることを示唆し、従って、ソースアンテナは、交差アンテナフィードをもつ候補として指定される。
【００６４】
図８は、プロセス３００で識別された交差アンテナフィーダー候補を評価するプロセス８００の一実施形態を示す。プロセス８００は、交差アンテナフィードの存在を検出する。プロセス３００で識別された各候補アンテナは、プロセス８００により別々に分析される。
【００６５】
Ｓ８０２において特定のベースステーションサイトにおける多数の候補アンテナの存在が決定される。一実施形態では、Ｓ８０２がベースステーションに対する技術及び周波数の組み合せごとに遂行される。例えば、ベースステーションが２Ｇセルラー技術のための周波数の１セット及びＬＴＥ技術の２つの個別の周波数帯域にサービスする場合には、３つの周波数／技術の組み合せの各々が個別に評価される。別の実施形態では、Ｓ８０２がベースステーションにおいて各技術についてのみ遂行される。
【００６６】
本開示の実施形態は、Ｓ８０２において、セルサイトに対する各周波数／技術の組み合せ内に多数の交差アンテナフィード候補が存在するかどうか決定する。一実施形態において、所与の周波数／技術の組み合わせについて１つの候補セルしか見つからないときには、候補がそれ以上検査されない。しかしながら、幾つかの実施形態は、Ｓ８０２を遂行せずに、セルサイトの全てのアンテナを分析する。
【００６７】
Ｓ８０４において、ソースアンテナのセルについて交差アンテナメトリック又はスコアが計算される。交差アンテナメトリックは、ソースセル及び隣接セルの相対的な地理的配向、及びソースセルと隣接セルとの間のハンドオーバーを考慮するものである。
【００６８】
一実施形態において、ソースセル及び所与の隣接セルの交差アンテナメトリックは、セルに関連したアンテナの配向、及びセル間のハンドオーバーアクティビティのレベルを考慮する。特に、スコアは、隣接セルからソースセルへの首尾良いハンドオーバーのレベルを考慮する。
【００６９】
１つの特定の実施形態において、このメトリックは、次の式２に基づいて定義される。
2018514983.tif 000004
［式２］
式２において、変数Ｓｒｃ２Ｎｂｒは、ソースアンテナを隣接アンテナに接続する線と、ソースセルの方位との間の角度を指す。そのような角度は、図７に、ソースアンテナ７０８のアンテナ方向と、ソースアンテナを隣接アンテナ７１２に接続する線７１４との間の角度７２４として示されている。図７に関して、変数Ｎｂｒ２Ｓｒｃは、隣接セルアンテナ７１２の方位と、ソースアンテナ７０８と隣接アンテナの間の線７１４との間の角度７３４を指す。
【００７０】
式２において、ＩｎｔｒａＨＯＳｕｃｃは、所与の期間内のソースセルから隣接セルへの首尾良い周波数内ハンドオーバーの数を指す。ＴｔｌＨＯＳｕｃｃは、所与の期間内のソースセルから全ての隣接セルへの首尾良い周波数内ハンドオーバーの合計数である。ＭｉｎＨＯＡｃｔｉｖｉｔｙは、スレッシュホールド値である。例えば、一実施形態において、ソースセルから隣接セルへの首尾良い周波数内ハンドオーバーの数がソースセルからその全ての隣接セルへの首尾良いハンドオーバーの少なくとも１％である場合にのみ隣接セルが評価される。一実施形態において、ＭｉｎＨＯは、Ｓ３０８において関連隣接セルを決定するのに使用された同じ変数である。所与の期間は、例えば、１日又は１週間である。
【００７１】
Ｓ８０６において、ソースセルに対する第２の交差アンテナスコア、又は合計交差アンテナスコアが計算される。ソースセルの交差アンテナスコアは、Ｓ８０４で決定されたソースアンテナの各隣接アンテナに対して交差アンテナメトリックの各々を合計することにより遂行される。一実施形態において、Ｓ８０６は、ソースアンテナによる作用を受ける各周波数及び技術の組み合わせについて遂行される。別の実施形態では、プロセス３００により候補セルとして識別されたセルについてのみスコアが計算される。
【００７２】
別の実施形態では、合計スコアではなく平均スコアが使用されてもよい。更に別の実施形態では、セルに関連したアクティビティの量に基づいて平均スコアが正規化される。
【００７３】
Ｓ８０８において、交差アンテナ候補対が識別される。交差アンテナ対は、第１セルのアンテナフィードが第２セルのアンテナに対して逆転されるシナリオである。
【００７４】
一実施形態では、Ｓ８０８において、交差アンテナフィードの全ての組み合せが識別される。例えば、２つのセルＡ及びＢを伴うサイトでは、２つの方向対Ａ＞Ｂ及びＢ＞Ａが考えられる。ベースステーションが３つのセルＡ、Ｂ及びＣにサービスするときは、セルに対して６つの交差アンテナ候補対、Ａ＞Ｂ、Ａ＞Ｃ、Ｂ＞Ａ、Ｂ＞Ｃ、Ｃ＞Ａ及びＣ＞Ｂ（3Ｃ2＊２）が考えられる。これらの対では、第１セルがソースセルと称され、そして第２セルが行先セルと称される。例えば、セルＡのフィードがセルＢにアタッチされるときは、セルＡがソースセルであり、そしてセルＢが行先セルである。
【００７５】
別の実施形態では、プロセス３００により交差アンテナ候補として識別されたアンテナに対してのみ交差アンテナ対が識別される。
【００７６】
Ｓ８１０において、ソースセルのアンテナ方位は、Ｓ８０８で識別された各々のあり得る方向対について行先セルの方位に置き換えられ、そしてこの決定に基づいて新たな交差アンテナスコアが計算される。新たな交差アンテナスコアを計算することは、各ソース／隣接対の値を計算しそして全てのソース／隣接対値に基づいて最終的なスコアを計算することを含めて、Ｓ８０６で計算される交差アンテナスコアと同様に達成される。従って、Ｓ８１０は、ソースセルのアンテナ方位及び行先セルの隣接セットを使用してプロセス５００を遂行することを含む。
【００７７】
更に、行先セルのアンテナの指向方向内にあるソースセルの隣接部の割合が、Ｓ８１２において、行先セルごとに決定される。アンテナの指向方向内にある隣接部の割合は、式１に基づいてＳｒｃ２Ｎｂｒを決定することを含めて、前記と同様に達成される。
【００７８】
一実施形態において、方向対の行先セルのアンテナ方向にあるソースセルの隣接セルの割合がスレッシュホールド値より大きく、そして方向対の行先セルのアンテナ方向に基づいてソースセルについて計算された新たなアンテナスコアメトリックがその元のアンテナスコアメトリックより大きい場合には、サイトにおける考えられる方向性交差対のリストに方向対が追加される。この開示で述べる方程式は、そのような比較を容易にするように設計され、そして他の実施形態では、方向交差対を識別するための他の特定の基準が使用される。アンテナ方向メトリックで隣接部の割合を比較するためのスレッシュホールドは、例えば、５０％である。
【００７９】
サイトにおける候補セルの全てのあり得る方向対が評価されると、それらの方向対から形成されるサイトにおけるあり得る交差シナリオが分析される。このため、サイトにおける候補セルの数から形成されるあり得る交差シナリオのリストが、Ｓ８１４において、生成される。サイトに４つまでの疑わしいセルがあるときの交差シナリオの数は、次の通りである。
【００８０】
２つの候補セル（Ａ及びＢ）の場合は、アンテナフィーダーがセルＡとＢとの間で逆転されるという１つの交差シナリオが考えられる。このシナリオでは、２つの方向対（Ａ＞Ｂ及びＢ＞Ａ）が含まれる。
【００８１】
３つの候補セル（Ａ、Ｂ及びＣ）の場合は、３（3Ｃ2）対の交差（Ａ＆Ｂ、Ｂ＆Ｃ及びＣ＆Ａ）、並びに２つの３セル交差シナリオ（シナリオ１：ＡがＢと交差、ＢがＣと交差、ＣがＡと交差、シナリオ２：ＡがＣと交差、ＢがＡと交差、ＣがＢと交差）が考えられる。シナリオ１では、方向対Ａ＞Ｂ、Ｂ＞Ｃ及びＣ＞Ａが含まれる。同様に、シナリオ２では、方向対Ａ＞Ｃ、Ｂ＞Ａ及びＣ＞Ｂが含まれる。
【００８２】
４つの候補セル（Ａ、Ｂ、Ｃ及びＤ）の場合は、１２（4Ｃ2）交差対、８（3Ｃ2）３セル及び６（３！）４セル交差が考えられる。交差シナリオを形成する全ての方向対が、あり得る方向交差対のリストに含まれる場合には、あり得る交差シナリオのリストに交差シナリオが追加される。
【００８３】
この開示では特定の実施形態を詳細に説明するが、それら実施形態がその説明によって限定されることはない。多数の代替が考えられる。例えば、別の実施形態は、ネットワークにおける交差アンテナのあり得る組み合せを単に各々テストするだけでもよい。
【００８４】
Ｓ８１６において、同様の交差アンテナフィードシナリオが決定される。一実施形態において、テストされたシナリオごとに、交差アンテナフィードシナリオに含まれる方向対についての交差アンテナの包括的改善の尺度が計算される。例えば、所与のシナリオについての交差アンテナフィードスコアの改善が次の式４に基づいて計算される。
2018514983.tif 000005
式４において、Ｎは、交差シナリオにおける方向対の数であり、そしてＸは、交差シナリオにおける方向対のソースセルのセットである。一実施形態では、Ｓ８１６において、最大の改善を伴うシナリオが、最も可能性の高いシナリオとして選択される。
【００８５】
４つ以上の候補セルを伴うサイトのケースで、交差シナリオが、最も可能性の高い交差アンテナシナリオとして識別される場合には、残りのセルを他の潜在的な交差アンテナシナリオに含ませることができる。残りのセルによって形成されるシナリオが、考えられる交差シナリオのリストの一部分である場合には、それらが、そのサイトのあり得る交差アンテナシナリオとして含まれてもよい。
【００８６】
潜在的な交差アンテナシナリオが識別されるときに、Ｓ８１８において、識別されたシナリオの信頼性が計算される。一実施形態において、これは、式４のＸＡｎｔＳｃｒＩｍｐｒｏｖｅｍｅｎｔメトリックに基づいて行われる。換言すれば、信頼値は、第１セルに置き換えることにより隣接部及びハンドオーバーベースのメトリックが改善される程度である。
【００８７】
別の実施形態では、Ｓ８１８において、交差アンテナ後の方向対の間で最小改善に基づく最小改善メトリックに基づいて信頼性が決定される。一実施形態では、識別されたシナリオにおいて最小改善を使用する信頼性は、最小改善が０．５より小さいときは低と決定され、改善が０．５ないし２．０であるときは中間と決定され、そして最小スコアが２より大きい場合には高と決定される。しかしながら、これらの特定の値は、全て、実施形態を例示するものに過ぎず、そして信頼性スケールの多数の変更が考えられる。
【００８８】
一実施形態において、ソースセルの指向方向にある隣接セルの割合も、信頼性を決定するのに使用される。信頼性は、ソースセルの指向方向にある隣接セルの割合が増加するにつれて高くなる。それ故、Ｓ８１８で決定される信頼性は、改善スコア、等に加えて、又はそれに代って、ソースアンテナの指向方向にある隣接部の割合に基づいてスケーリングされる。
【００８９】
前記実施形態は、候補セルに適用されるものとして説明されたが、他の実施形態では、更に多くの状況が評価される。種々の実施形態において、セルサイトの全てのセルがプロセス８００を使用してテストされる。別の実施形態では、プロセス３００により交差アンテナフィード候補として識別されるセルだけがテストされる。別の実施形態では、ベースステーションの１つのセルが候補として識別されるときに、考えられる全てのアンテナフィード交差シナリオがプロセス８００においてテストされる。
【００９０】
次いで、Ｓ８２０において、最も可能性の高いシナリオ又は複数の可能性の高いシナリオが、交差アンテナフィードを修正するためにセルサイトに派遣できる技術者に与えられる。別の実施形態では、候補セルの組み合せの多数のシナリオがセルサイトに存在するときは、セルサイト及びセルサイトに関する情報が、サイトの交差アンテナフィードを確認しそして解消できる技術者に与えられる。
【００９１】
一実施形態において、データが正確であることを保証するためにパラメータの一貫性がチェックされる。一実施形態では、この情報が予想数値限界内にあり且つ一貫したものであることを保証するために、サイトのアンテナ方位、緯度及び経度が使用される。
【００９２】
一実施形態では、Ｓ３０６において隣接セルのセットを決定する前に隣接セル情報が現在のもので且つ正確であることを保証するためにネットワークのセルに対してＡＮＲモジュールが実行される。
【００９３】
ＵＭＴＳネットワークの実施形態では、検出セットレポート（ＤＳＲ）情報を使用して、アルゴリズムの性能が増強される。ソースセルのＵＥによる検出セットレポートは、必ずしも隣接部ではないセルからの信号強度測定値を与える。これは、たとえＵＭＴＳ隣接リストに隣接部欠落があっても、セルのカバレージ領域に関する情報を与える。従って、ＤＳＲ情報は、セルのカバレージ領域がそのアンテナ指向方向にあることを検証しそして交差アンテナフィーダーを潜在的に識別するのに使用できる。
【００９４】
ＬＴＥネットワークは、ＭＩＭＯ送信モードをガイドするためのメトリックを与える。これらは、ＵＥとベースステーションとの間のチャンネルに対するチャンネルランク指示子及び最も適した送信モードを含む。ＬＴＥネットワークの実施形態では、これらのメトリックは、交差フィーダー問題を伴うサイトの識別を向上させるために交差フィーダーアンテナアルゴリズム内で使用することができる。
【００９５】
本開示の実施形態では、異なるセクターに属するセル間でアンテナフィーダーが潜在的に交差するサイトが識別される。ある具現化では、サイトの交差アンテナの存在を確認するために、ドライブテストからのデータ、サイトにおける測定値、又はジオロケーションツールに関連して使用されるＵＥ測定値が任意に使用される。
【００９６】
交差アンテナフィードが識別されると、サイトにおけるアンテナフィーダーを戻し交差することにより、又はセルの構成情報を更新してそれをサイトにおける実際の物理的構成と一貫したものにすることにより、交差アンテナフィードを固定することができる。
【００９７】
交差フィーダーアンテナを識別しそして分析することで、カバレージ及び容量最適化、セル停電補償、負荷バランシング及びＡＮＲ動作を含むネットワーク性能管理動作の有効性を改善することができる。
【符号の説明】
【００９８】
１００：システム
１０２：ベースステーション
１０４：アンテナ
１０６：セル
１０８：ユーザ装置ＵＥ
１１０、１１２、１１４：バックホール装置（ネットワークコントローラ装置）
１１６：バックホール部分
１１８：中間リンク
２００：ネットワークリソースコントローラ（ＮＲＣ）
２０２：メモリ
２０４：ＣＰＵ
２０６：ユーザインターフェイス
２０８：ネットワークインターフェイス
２１０：システムバス
２１２：ストレージ装置
２１４：方位データ
２１６：セルポイント
２１８：隣接データ
４０２、４０４、４０６：セル
４０８：ベースステーション
６０２、６０４、６０６：セル
６０８：ベースステーション
６１０：ゾーン
７０８：ソースベースステーションサイト
７１２：ターゲットベースステーションサイト
７１４：線
７２０：第１角度
７２２：第２角度
７２４：第１の差
【図１】
2018514983.tif 000006
【図２】
2018514983.tif 000007
【図３】
2018514983.tif 000008
【図４】
2018514983.tif 000009
【図５】
2018514983.tif 000010
【図６】
2018514983.tif 000011
【図７】
2018514983.tif 000012
【図８】
2018514983.tif 000013
【国際調査報告】
2018514983.tif 000014